(57)【要約】【課題】棚板、トレー、ボックスなどのオプション部材の抜け止め操作忘れを防止して、ガタつきや脱落が生じないように好適にオプション部材を取り付けることを可能にする。【解決手段】棚板４を支持基体２に取り付けるときには、係止孔１７にブラケット２０の各係止爪２２を挿入する動作のみで、スライドレバー２８の係合突起２８ｄが付勢部材２９のばね部の付勢力によって係止孔１７に自動的に挿入される。これにより、特に操作を行うことなく、棚板４を確実に支持基体２に固定する。  また、スライドレバー２８には、その上部に操作突起２８ｂが設けられ、棚板４を支持基体２から取り外す時には、スライドレバー２８のスライド操作をユーザが容易に行うことができるようにした。【選択図】図３
2018079362.tif 000002
【特許請求の範囲】
【請求項１】
什器の取付面に、上下方向に間隔をあけて穿設された複数の係止孔と、オプション部材を支持するブラケットの後端から後方に突出して形成されるとともに突端側が下方に屈曲する鉤状に形成され、前記係止孔に挿入して係止させて前記ブラケットを片持ち状態で着脱可能に取り付けるための係止爪とを備えてなるオプション部材の取付構造であって、
前記ブラケット上で前記取付面に接近・離間する方向にスライド移動可能に設けられたスライド部材と、
前記スライド部材を前記取付面側に付勢する付勢部材と、を備え、
前記ブラケットを前記取付面に取り付け、前記係止爪を前記係止孔に挿入した状態で、前記係止爪の上端部と該係止爪を挿入した前記係止孔の上端部との間に、前記スライド部材の端部が挿入されていることを特徴とするオプション部材の取付構造。
【請求項２】
前記スライド部材は、その上面に突出し、前記スライド部材を前記取付面から離間する方向にスライド移動させるための操作突起が設けられていることを特徴とする請求項１に記載のオプション部材の取付構造。
【請求項３】
前記オプション部材は、前記ブラケットよりも上方に立ち上がり、前記操作突起を覆う立ち上がり壁部を備えていることを特徴とする請求項２に記載のオプション部材の取付構造。
【請求項４】
前記係止孔は、前記取付面に幅方向に間隔を隔てて二個一対に形成されるとともに、
前記係止爪は、前記ブラケットの幅方向に間隔を隔てて二個一対に形成され、
前記スライド部材は、幅方向両側に、前記係止爪と同じ方向に突出して形成された二個一対の係合突起を有し、
これら幅方向に間隔を隔てた二個一対の前記係止孔と前記係止爪のそれぞれにおいて、前記係止爪の上端部と該係止爪を挿入した前記係止孔の上端部との間に、前記係合突起が挿入されていることを特徴とする請求項１から３のいずれか一項に記載のオプション部材の取付構造。
【請求項５】
前記スライド部材は、幅方向両側に二個一対の前記付勢部材を備えていることを特徴とする請求項１から４のいずれか一項に記載のオプション部材の取付構造。
【請求項６】
上下方向に連続する支持基体と、
前記支持基体に形成された係止孔に係止爪を係止させることで、前記支持基体に着脱可能に取り付けられるオプション部材とを備え、
請求項１から請求項５のいずれか一項に記載のオプション部材の取付構造を備えていることを特徴とする什器。
【発明の詳細な説明】
【技術分野】
【０００１】
本発明は例えばオフィス等の執務空間で使用される什器に着脱可能に取り付けられる棚板、トレー、ボックスなどのオプション部材の取付構造及びこれを備えた什器に関する。
【背景技術】
【０００２】
オフィス等の執務空間で使用される什器には、例えば電子機器等の物品を載置するための棚板やトレー、ボックスなどのオプション部材を備え、このオプション部材が支柱に着脱可能に取り付けられてその高さ位置を変更できるように構成したものがある。また、オフィス、病院、公共施設等における執務空間内で移動しながら執務を行なう場合には、キャスターを備えるベースと、ベースに接続して立設された支柱（支持基体）と、支柱の上端部に取り付けられた天板と、支柱の中間部分に着脱可能に取り付けられた棚板などのオプション部材とを備え、走行可能に構成したカート装置（什器）が多用されている。
【０００３】
さらに、オプション部材の取付構造としては、支柱の取付面に上下方向に所定の間隔をあけて複数穿設された係止孔に、ブラケットの後端から後方に突出形成された係止爪を挿入して係止させて、支柱に片持ち状態で取り付けたブラケットにオプション部材を支持させるように構成したものがある。このオプション部材の取付構造においては、適宜選択した係止孔にブラケットの係止爪を係止させることで、その係止孔に応じた所望の高さ位置にオプション部材を着脱可能に取り付けることができる。
【０００４】
そして、このようなオプション部材の取付構造では、一般に、係止爪に突端側を下方に屈曲させて鉤状の引掛り部が形成され、物品を載置するなどしてオプション部材及びブラケットに上方から外力が作用した際に、係止孔に挿入した係止爪の突端側の引掛り部が引掛かり、且つブラケットの後端が支柱の取付面に当接することで、オプション部材を安定して支柱に支持させることができる。一方、上記のオプション部材の取付構造においては、係止爪が下方に屈曲する鉤状に形成されているため、オプション部材及びブラケットに下方から外力が作用すると、片持ち状態のブラケットの後端側の係止部分を中心にして上方に回動してしまい、オプション部材がガタついたり、係止爪の引掛り部の引掛かりが外れて係止爪が係止孔から引き抜け、オプション部材が脱落してしまうおそれがある。
【０００５】
これに対し、オプション部材の係止爪が係止している係止孔、もしくはその他の係止孔に抜け止め部材を挿入することによって、オプション部材の脱落、および取付時のガタつきを防止する構成が提案されている（例えば、特許文献１、２参照。）。
【先行技術文献】
【特許文献】
【０００６】
【特許文献１】実開昭６１−２５８４２号公報
【特許文献２】実開昭６３−１３１６５２号公報
【発明の概要】
【発明が解決しようとする課題】
【０００７】
しかしながら、上記の特許文献１、特許文献２に開示されたオプション部材の取付構造においては、係止爪を係止孔に挿入して係止させてオプション部材が所定位置に配設された後に、抜け止め部材を係止孔に挿入するという別操作が必要になる。
【０００８】
このため、オプション部材の取付位置を変更する際等、使用者がオプション部材を一時的に取り外し、再度オプション部材を所望の位置に取り付ける際に、ブラケットを移動させたり、ロック爪を回動させるというオプション部材の抜け止め操作（抜け止め機構の操作）を忘れてしまい、オプション部材の脱落やガタつきの発生を招くおそれがあった。
【０００９】
本発明は、上記事情に鑑み、棚板、トレー、ボックスなどのオプション部材の抜け止め操作忘れを防止して、ガタつきや脱落が生じないように好適にオプション部材を取り付けることを可能にするオプション部材の取付構造及びこれを備えた什器を提供することを目的とする。
【課題を解決するための手段】
【００１０】
本発明は、上記課題を解決するため、以下の手段を採用する。
すなわち、本発明は、什器の取付面に、上下方向に間隔をあけて穿設された複数の係止孔と、オプション部材を支持するブラケットの後端から後方に突出して形成されるとともに突端側が下方に屈曲する鉤状に形成され、係止孔に挿入して係止させてブラケットを片持ち状態で着脱可能に取り付けるための係止爪とを備えてなるオプション部材の取付構造であって、ブラケット上で取付面に接近・離間する方向にスライド移動可能に設けられたスライド部材と、スライド部材を取付面側に付勢する付勢部材と、を備え、ブラケットを取付面に取り付け、係止爪を係止孔に挿入した状態で、係止爪の上端部と該係止爪を挿入した係止孔の上端部との間に、スライド部材の端部が挿入されていることを特徴とする。
【００１１】
このような構成によれば、ブラケットを取付面に取り付け、係止爪を係止孔に挿入した状態で、係止爪の上端部と該係止爪を挿入した係止孔の上端部との間に、スライド部材の端部が挿入されることで、係止爪が係止孔の上端部側に移動するのが阻止される。これにより、ブラケットが不用意に脱落したりガタついたりすることがない。
しかも、スライド部材は、付勢部材により取付面側に付勢されているため、鉤状に形成された係止爪を係止孔に係合させて係止爪と係止孔の上端部との間に隙間が形成された時点で、スライド部材が自動的に隙間に挿入される。
【００１２】
また、スライド部材は、その上面に突出し、スライド部材を取付面から離間する方向にスライド移動させるための操作突起が設けられていることを特徴とすることができる。
オプション部材を什器の取付面から取り外すに際しては、ユーザが、この操作突起を引っ張ることで、スライド部材を取付面から離間する方向にスライドさせることができる。
これによって、係止爪と係止孔の上端部との間の隙間からスライド部材を引き抜くことができる。すると、係止爪が係止孔内で上方にスライド移動可能となり、係止爪を係止孔から引き抜くことが可能となる。
【００１３】
オプション部材は、ブラケットよりも上方に立ち上がり、操作突起を覆う立ち上がり壁部を備えていることを特徴とすることもできる。
立ち上がり壁が操作突起を覆うことで、このオプション部材をブラケットに装着した状態では、スライド部材のスライド操作を行うことができず、誤操作によりオプション部材が什器の取付面から外れるのを防ぐことができる。
【００１４】
係止孔は、取付面に幅方向に間隔を隔てて二個一対に形成されるとともに、係止爪は、ブラケットの幅方向に間隔を隔てて二個一対に形成され、スライド部材は、幅方向両側に、係止爪と同じ方向に突出して形成された二個一対の係合突起を有し、これら幅方向に間隔を隔てた二個一対の係止孔と係止爪のそれぞれにおいて、係止爪の上端部と該係止爪を挿入した係止孔の上端部との間に、係合突起が挿入されていることを特徴とすることもできる。
このように、幅方向両側で係止孔に係止爪を挿入し、係止爪と係止孔との間に係合突起を挿入することによって、オプション部材を安定して支持し、ガタつきを確実に抑えることができる。
【００１５】
また、スライド部材は、幅方向両側に二個一対の付勢部材を備えているのが好ましい。
これによって、スライド部材のスライド動作を安定的なものとすることができる。
【００１６】
また、本発明は、上下方向に連続する支持基体と、支持基体に形成された係止孔に係止爪を係止させることで、支持基体に着脱可能に取り付けられるオプション部材とを備え、請求項１から請求項３のいずれか一項に記載のオプション部材の取付構造を備えていることを特徴とする什器とすることもできる。
【発明の効果】
【００１７】
本発明によれば、ブラケットを取付面に取り付け、係止爪を係止孔に挿入した状態で、係止爪の上端部と該係止爪を挿入した係止孔の上端部との間に、スライド部材の端部が挿入されることで、係止爪が係止孔の上端部側に移動するのが阻止される。これにより、ブラケットがガタついたり不用意に脱落したりガタついたりするのを防ぐことができる。
しかも、スライド部材は、付勢部材により取付面側に付勢されているため、鉤状に形成された係止爪を係止孔に係合させると、係止爪と係止孔の上端部との間に隙間が形成された時点で、スライド部材が自動的に隙間に挿入される。したがって、特別な操作を行うことなく、ブラケットに支持されたオプション部材を容易かつ確実に取り付けることができる。
【図面の簡単な説明】
【００１８】
【図１】本発明の一実施形態に係るカート装置（什器）を示す斜視図である。
【図２】図１のＸ１−Ｘ１線矢視図であり、図２（ａ）が支持基体の断面図、図２（ｂ）が支持基体の正面図を示す。
【図３】本発明の一実施形態に係るオプション部材の取付構造を示す側断面図である。
【図４】ブラケットおよび抜け止め機構を構成する部品を示す斜視展開図である。
【図５】オプション部材として棚板を取り付ける場合の構成を示す平面図および正面図である。
【図６】オプション部材としてトレーを取り付ける場合の構成を示す側断面図である。
【図７】オプション部材としてトレーを取り付ける場合の構成を示す平面図および正面図である。
【図８】抜け止め機構を示す三面図である。
【図９】スライドレバーをスライドさせたときの状態を示す平面図である。
【図１０】ブラケットを着脱するときの流れを示す図である。
【図１１】図１０に続いてブラケットを着脱するときの流れを示す図である。
【発明を実施するための形態】
【００１９】
以下、添付図面を参照して、本発明の一実施形態に係るオプション部材の取付構造及びこれを備えた什器について説明する。ここで、本実施形態では、什器の一例として、カート装置を例に挙げる。また、本実施形態では、オプション部材が棚板であるものとして説明を行うが、本発明にかかるオプション部材は、トレーやボックスなどであってもよく、必ずしも棚板に限定しなくてもよい。
【００２０】
本実施形態のカート装置Ａは、図１に示すように、最下部を構成するベース１と、このベース１から上方に延びて立設される支持基体２と、支持基体２の前後方向Ｔ１を向く取付面３に着脱可能に取り付けて設けられた複数の棚板（オプション部材）４と、支持基体２の上端部に取り付けて設けられた天板５と、天板５の後端部５ａ側に接続し、後方に突設された操作ハンドル６と、天板５の後端部５ａ側に接続し、後方に向かうに従い下方に傾斜して設けられた操作レバー７とを備えて構成されている。さらに、本実施形態のカート装置Ａには、タブレットＰＣなどを備えた電子機器ユニット８が天板５の後端部５ａ側に着脱可能に接続して設けられている。
【００２１】
ここで、本実施形態において、図１の矢印Ｔ１で示す方向が「前後方向」であり、この「前後方向」に直交する図１の矢印Ｔ２で示す方向が「左右方向」あるいは「幅方向」とする。
【００２２】
ベース１は、中央部から４方向に放射状に延設され、中央部で基端部を互いに連結した４本の脚杆１０と、これら脚杆１０の先端部にそれぞれ取り付けられた４個のキャスター１１とを備えて構成されている。また、各キャスター１１は、脚杆１０によって水平軸周りに回転可能に支持されるとともに、鉛直軸周りにも旋回可能に支持されている。これにより、ベース１を最下部に備えたカート装置Ａは、床面の上を任意の方向に走行可能とされている。
【００２３】
支持基体２は、図１に示すように、筒状に形成され、下端部をベースの中央部に接続して立設された外側支柱１２と、この外側支柱１２の上端側から内部空洞に下端部側を嵌合し、外側支柱１２の内部空洞から上下方向Ｔ３に進退自在に配設された内側支柱１３とを備えて構成することもできる。また、外側支柱１２は、図２に示すように、アルミ等が一体成形されてなる断面略長円形状で筒状のアウター１４と、このアウター１４に取り付けられる４つの被取付金具１５とを備えている。
【００２４】
そして、断面略長円形状のアウター１４は、棚板４が装着される側の前面１４ａと、その反対側の後面１４ｂが、上下方向に連続する帯状の平面をなしている。この前面１４ａ、後面１４ｂには、それぞれ、その幅方向両側に、それぞれ、内側に凹み、上下方向Ｔ３に延びる装着溝１６が形成されている。すなわち、このアウター１４には前方側と後方側に２つずつ、計４つの装着溝１６が形成されている。
【００２５】
被取付金具１５は、装着溝１６に嵌め込み可能な幅を有した金属からなる断面略Ｕ字状の棒状部材で、その長手方向に所定の間隔をあけて、略矩形状の係止孔１７が複数貫通形成されている。これにより、アウター１４の前面１４ａ、後面１４ｂには、幅方向に間隔を隔てて二個一対の係止孔１７が、上下方向に沿って所定の間隔を隔てて開口した構成となっている。
【００２６】
操作ハンドル６は、天板５の下面の後端部５ａ側から後方に突出する一対の取付バー６ｂと、一対の取付バー６ｂの先端部同士を互いに接続して左右方向Ｔ２に延びる操作バー６ａとを備えて形成されている。操作ハンドル６は、図１に示すように、執務者がこれを把持して操作することによりカート装置Ａを所定の方向へ走行させるためのものである。
【００２７】
操作レバー７は、外側支柱１２の内部にスライド可能に設けられた内側支柱１３を任意の位置でスライド不能にロックするためのものである。すなわち、執務者が、この操作レバー７を操作すると、支持基体２の内部に設けられた図示しないロック機構による内側支柱１３のロックまたはロック解除が切り替わり、内側支柱１３のスライド移動が制御されて、支持基体２の高さの調節が行なえる。
【００２８】
図１に示したように、本実施形態の棚板（オプション部材）４は、略平板状に形成され、その上面４ａが執務に用いる各種の物品を載置する物品載置面とされている。そして、この棚板４は、後述するような本実施形態の棚板の取付構造Ｂにより、支持基体２の取付面３に取り付けられたブラケット２０により支持されている。
【００２９】
図３に示すように、本実施形態の棚板の取付構造Ｂは、支持基体２の取付面３に、上下方向Ｔ３に間隔をあけて穿設された複数の係止孔１７と、棚板４を支持するブラケット２０に設けられ、係止孔１７に挿入して係止させてブラケット２０を片持ち状態で着脱可能に取り付けるための係止爪２２と、係止孔１７に係止した係止爪２２が係止孔１７から外れて抜け出すことを防止するための抜け止め機構２３とを備えて構成されている。
【００３０】
図４に示すように、本実施形態のブラケット２０は、略矩形板状のベース部材２４と、ベース部材２４の幅方向両側に設けられた二枚一対のサイドプレート２５、２５とを備えている。このとき、一対のサイドプレート２５、２５は、左右方向Ｔ２の間隔を、アウター１４の前面１４ａ、後面１４ｂにそれぞれ形成された係止孔１７、１７同士の間隔と同等にして配設されている。
【００３１】
ベース部材２４は、矩形板状のプレート部２４ａと、プレート部２４ａの周囲四辺からプレート部２４ａの表面に直交する方向（後方）に立ち上がるリブ（立ち上がり壁部）２４ｂとからなる。
【００３２】
さて、図５に示すように、このベース部材２４には、棚板支持ブラケット４０を介して棚板４が支持されている。
棚板支持ブラケット４０は、平面視コ字状で、ベース部材２４のプレート部２４ａにボルト４１等によって固定され、プレート部２４ａから幅方向両側に延びたプレート状の固定部４０ａと、固定部４０ａの幅方向両端部から直交する方向に、ベース部材２４から離間するよう延びた一対のアーム部４０ｂ、４０ｂとを有している。
【００３３】
この棚板支持ブラケット４０の固定部４０ａおよびアーム部４０ｂ、４０ｂ上に、ロ字状の支持フレーム４２が載置される。
図３、図５に示すように、棚板４は、その外周部に、上方に立ち上がる枠部４ｂを有し、この枠部４ｂの上端部は逆Ｊ字状をなした折り返し部４ｃとされている。この折り返し部４ｃを支持フレーム４２上に載置することで、棚板４が支持フレーム４２および棚板支持ブラケット４０を介してブラケット２０のベース部材２４に支持されている。
【００３４】
ここでは、ブラケット２０に棚板４を設ける構成としたが、棚板４以外のオプション部材を支持基体２に取り付けるために用いることもできる。具体例をあげれば、図６、図７に示すように、ブラケット２０に、トレー（オプション部材）６０を設けることもできる。このトレー６０は、ブラケット２０のベース部材２４にボルト６１等によって固定される固定プレート部６２と、固定プレート部６２の下端からベース部材２４の表面に直交し、かつ操作突起２８ｂ側に延びる底板部６３と、底板部６３の先端からベース部材２４と平行に立ち上がる前壁部６４とからなる断面略Ｕ字状とされている。
【００３５】
さて、図４に示したように、サイドプレート２５、２５は、プレート部２４ａと一体に設けられている。各サイドプレート２５は、プレート部２４ａから、リブ２４ｂが形成された側とは反対側に向けて、プレート部２４ａに直交する方向に延びて形成されている。
各サイドプレート２５は、プレート部２４ａの表面と平行に形成された突き当たり面２５ａを複数個所に有している。また、各サイドプレート２５には、突き当たり面２５ａよりもプレート部２４ａから離間する側に突出する略Ｌ字状（鉤状）の係止爪２２が形成されている。これにより、ブラケット２０には、幅方向に間隔を隔てて二個一対の係止爪２２、２２が形成されている。各係止爪２２は、プレート部２４ａ側から直交する方向に延びる延出部２２ａと、延出部２２ａの先端部から延出部２２ａに直交する方向に延びる直交部２２ｂとを有し、直交部２２ｂには、突き当たり面２５ａと対向する側に、突き当たり面２５ａと平行な対向面２２ｃが形成されている。ここで、突き当たり面２５ａと対向面２２ｃとの間隔は、被取付金具１５の板厚とほぼ等しくなるよう形成されている。また、係止爪２２の板厚は、被取付金具１５に形成された係止孔１７の幅よりもわずかに小さくなるよう形成されている。
このような係止爪２２は、直交部２２ｂの延びる方向において、複数（本実施形態では２つ）が同列に配置されている。
【００３６】
また、各サイドプレート２５において、ベース部材２４が設けられている側には、ベース部材に対し、係止爪２２において延出部２２ａから直交部２２ｂが延びる方向と同じ側（ブラケット２０を支持基体２の取付面３に取り付けた状態で下方側）に、ベース部材２４のリブ２４ｂに沿う受け部２７が形成されている。
【００３７】
各サイドプレート２５と、ベース部材２４において、受け部２７が形成された側とは反対側に位置するリブ２４ｂとは、プレート部２４ａに直交する同一面内に位置するよう形成され、これがブラケット２０の上面２０ａを形成している。
【００３８】
抜け止め機構２３は、スライドレバー２８と、付勢部材２９とから構成され、スライドレバー２８が、ブラケット２０の上面２０ａにおいて、プレート部２４ａの表面に直交する方向（前後方向Ｔ１）に沿ってスライド可能に設けられている。
図４、図８に示すように、スライドレバー２８は、ブラケット２０の上面２０ａに沿うよう形成されたベース部２８ａと、ベース部２８ａの一端側に設けられ、ブラケット２０の上面２０ａから直交して離間する方向に突出形成された操作突起２８ｂとを有している。ここで、操作突起２８ｂは、前後方向Ｔ１において、ベース部２８ａの中心部から端部に向かうにしたがい、ベース部２８ａからの突出高さが漸次高くなる断面三角形状をなしている。ここで、オプション部材が棚板４である場合、ブラケット２０に近接する側においては、折り返し部４ｃが、スライドレバー２８の操作突起２８ｂを覆うように配置することもできる。これにより、棚板４が取り付けられている間は、操作突起２８ｂが操作できないようになっている。
【００３９】
また、ベース部２８ａの他端側には、その幅方向（左右方向Ｔ２）両側に、係止爪２２と同じ方向に向けて突出する一対の係合突起２８ｄが形成されている。
【００４０】
ベース部２８ａにおいて、ブラケット２０の上面２０ａに対向する側には、付勢部材２９を収容する収容凹部２８ｃが形成されている。
【００４１】
付勢部材２９は、ベース部材２４のプレート部２４ａに固定される固定プレート部２９ａと、固定プレート部２９ａから直交する方向に延びる折り曲げ部２９ｂと、折り曲げ部２９ｂにおいて固定プレート部２９ａから離間した側で、固定プレート部２９ａと平行な方向に立ち上がるばね部２９ｃとからなる、クランク状の断面形状を有している。
固定プレート部２９ａは、ベース部材２４のプレート部２４ａに、ビス等により固定されている。
ばね部２９ｃは、折り曲げ部２９ｂから、幅方向（左右方向Ｔ２）両側に延びるよう形成されている。このばね部２９ｃは、スライドレバー２８の収容凹部２８ｃの幅方向のほぼ全域にわたって延びるよう設けられている。そして、ばね部２９ｃは、その両端部が収容凹部２８ｃ内に形成されたボス３５と収容凹部２８ｃの内壁面との間に挟み込まれている。
【００４２】
このような抜け止め機構２３においては、平常時、収容凹部２８ｃ内で付勢部材２９のばね部２９ｃは平板状に延びた状態となっている。
そして、この状態から、スライドレバー２８を、前後方向Ｔ１に沿って、ベース部材２４に対し、係合突起２８ｄ側からベース部材２４側に向けて（この方向を前方とここで称し、反対方向を後方と称する）スライドさせると、図９（ａ）に示すように、収容凹部２８ｃ内で付勢部材２９のばね部２９ｃが弾性変形する。このとき、ばね部２９ｃは、中央部の折り曲げ部２９ｂに連結された部分に対し、その幅方向両側が、スライドレバー２８のスライド方向に沿って弾性変形する。この状態で、ばね部２９ｃは、スライドレバー２８をベース部材２４側から係合突起２８ｄに向けて後方に付勢している。この状態からスライドレバー２８のスライドを解放することにより、図９（ｂ）に示すように、ばね部２９ｃの付勢力によってスライドレバー２８は元の位置に復帰する。
【００４３】
上記構成からなる本実施形態の棚板の取付構造Ｂにおいて、カート装置Ａの支持基体２に棚板４を取り付ける場合には、まず、図１０（ａ）に示すように、棚板４が取り付けられたブラケット２０のサイドプレート２５、２５の各係止爪２２を、支持基体２の被取付金具１５に形成された任意の係止孔１７、１７に挿入する。
図１０（ｂ）に示すように、各係止爪２２の延出部２２ａと直交部２２ｂを各係止孔１７に挿入していくと、スライドレバー２８の係合突起２８ｄの先端面２８ｆは、被取付金具１５の表面に突き当たる。ブラケット２０をさらに押し込んでいくと、図９（ａ）に示すように、収容凹部２８ｃ内で付勢部材２９のばね部２９ｃが弾性変形し、スライドレバー２８は、ブラケット２０に対し、係合突起２８ｄ側からベース部材２４側に向けて前方に相対的に移動する。この状態で、ばね部２９ｃは、スライドレバー２８を、ベース部材２４側から係合突起２８ｄに向けて後方に付勢している。
【００４４】
図１１（ａ）に示すように、ブラケット２０をさらに押し込んでいくと、サイドプレート２５の突き当たり面２５ａが被取付金具１５の表面に突き当たった時点で、ブラケット２０のそれ以上の押し込み動作が規制される。この状態で、各係止爪２２の直交部２２ｂは係止孔１７の奥に入り込み、平面視した状態で被取付金具１５の背面側に位置している。
【００４５】
次いで、図１１（ｂ）に示すように、ブラケット２０を、被取付金具１５に押し付けた状態のまま、下方に移動させる。すると、各係止爪２２の直交部２２ｂが各係止孔１７の下方において被取付金具１５の背面側に入り込む。これにより、係止爪２２の延出部２２ａが各係止孔１７の下端に突き当たった時点で、ブラケット２０の下方への移動が規制される。この状態で、係止爪２２の直交部２２ｂの対向面２２ｃとサイドプレートの突き当たり面２５ａとで、被取付金具１５を挟み込んだ状態となり、ブラケット２０のガタつきが押さえられる。
【００４６】
また、この状態で、各係止孔１７には、係止孔１７に挿入された延出部２２ａの上方に隙間が形成される。すると、スライドレバー２８は、付勢部材２９のばね部２９ｃによって、係合突起２８ｄに接近する方向に付勢されているため、係止孔１７の上方に隙間が形成されることでスライドレバー２８の付勢力が解放される。これにより、この隙間に、スライドレバー２８が挿入され、係合突起２８ｄが係止孔１７の上端に突き当たるようになっている。
【００４７】
これにより、ブラケット２０を上方に移動させることができなくなり、ブラケット２０に取り付けられた棚板４やトレー６０が不用意に脱落したりガタついたりすることがない。
【００４８】
棚板４やトレー６０を取り外すときには、まず、図１１（ｂ）に示した状態から、図１１（ａ）に示すように、スライドレバー２８の操作突起２８ｂを、支持基体２から離間する方向（前方）に引張操作する。
すると、スライドレバー２８は、付勢部材２９のばね部２９ｃが弾性変形することによって前記方向にスライドし、これに伴い、係止孔１７から係合突起２８ｄが引き抜かれる。
【００４９】
この状態で、図１０（ｂ）に示すように、ブラケット２０を上方に引き上げる。すると、係合突起２８ｄは先端面２８ｆが被取付金具１５に突き当たった状態となり、係止孔１７から引き抜かれた状態を維持する。
その状態のまま、ブラケット２０を、係止爪２２の延出部２２ａが係止孔１７の上端に突き当たるまで、さらに引き上げる。
【００５０】
続いて、図１０（ａ）に示すように、ブラケット２０を支持基体２から離間する方向（前方）にスライドさせることにより、係止爪２２が係止孔１７から引き抜かれ、支持基体２からの取り外しが完了する。
【００５１】
上述したような構成によれば、棚板４やトレー６０を支持基体２に取り付けるときには、係止孔１７にブラケット２０の各係止爪２２を挿入する動作のみで、スライドレバー２８の係合突起２８ｄが付勢部材２９のばね部２９ｃの付勢力によって係止孔１７に自動的に挿入される。
これにより、特に操作を行うことなく、棚板４やトレー６０を確実に支持基体２に固定することができ、抜け止め部材の取付忘れ等によって棚板４やトレー６０の取付状態が不安定となったり、棚板４やトレー６０が不要に脱落するのを防ぐことができる。
【００５２】
また、スライドレバー２８には、その上部に操作突起２８ｂが設けられているため、棚板４やトレー６０を支持基体２から取り外す時には、スライドレバー２８のスライド操作をユーザが容易に行うことができ、操作性に優れる。
【００５３】
さらに、ブラケット２０に棚板４を取り付けた状態にて、棚板４の外周部に設けられた折り返し部４ｃが、スライドレバー２８の操作突起２８ｂを覆うように配置されている。
これにより、棚板４が取り付けられている間は、操作突起２８ｂが操作できないようになっており、不用意に棚板４およびブラケット２０が支持基体２から外れるのを防ぐことができる。
【００５４】
また、支持基体２の幅方向両側において、それぞれ係止孔１７に係止爪２２を挿入し、係止爪２２と係止孔１７との間に係合突起を挿入することによって、棚板４を安定して支持し、ガタつきを確実に抑えることができる。
【００５５】
また、スライドレバー２８は、幅方向両側に二個一対のばね部２９ｃを備えているので、スライド部材２８のスライド動作を安定的なものとすることができる。
【００５６】
以上、本発明に係るオプション部材の取付構造（棚板の取付構造）及びこれを備えたカート装置の一実施形態について説明したが、本発明は上記の一実施形態に限定されるものではなく、その趣旨を逸脱しない範囲で適宜変更可能である。
【００５７】
例えば、本実施形態では、ブラケット２０に棚板４やトレー６０を設ける構成としたが、棚板４やトレー６０以外のオプション部材を支持基体２に取り付けるために用いることができるのは言うまでもない。
【００５８】
また、本実施形態では、カート装置Ａに具備される棚板、トレー、ボックスなどのオプション部材の取付構造Ｂについて説明を行ったが、本発明の什器をカート装置Ａに限定する必要はなく、本発明にかかるオプション部材の取付構造は、家具やパーティション壁など、あらゆる什器に、棚板やトレー、ボックスなどのオプション部材を取り付けるための構造として適用可能である。
これ以外にも、本発明の主旨を逸脱しない限り、上記実施の形態で挙げた構成を取捨選択したり、他の構成に適宜変更することが可能である。
【符号の説明】
【００５９】
１    ベース
２    支持基体
３    取付面
４    棚板（オプション部材）
４ａ  上面
４ｂ  枠部
４ｃ  折り返し部
５    天板
６    操作ハンドル
７    操作レバー
８    電子機器ユニット
１０  脚杆
１１  キャスター
１２  外側支柱
１３  内側支柱
１４  アウター
１５  被取付金具
１６  装着溝
１７  係止孔
２０  ブラケット
２２  係止爪
２２ａ      延出部
２２ｂ      直交部
２２ｃ      対向面
２３  抜け止め機構
２４  ベース部材
２４ａ      プレート部
２４ｂ      リブ（立ち上がり壁部）
２５  サイドプレート
２５ａ      突き当たり面
２７  受け部
２８  スライドレバー
２８ａ      ベース部
２８ｂ      操作突起
２８ｃ      収容凹部
２８ｄ      係合突起
２８ｆ      先端面
２９  付勢部材
２９ａ      固定プレート部
２９ｃ      ばね部
４０  棚板支持ブラケット
４０ａ      固定部
４０ｂ      アーム部
４１  ボルト
４２  支持フレーム
６０  トレー（オプション部材）
６２  固定プレート部
６３  底板部
６４  前壁部
【図１】
2018079362.tif 000003
【図２】
2018079362.tif 000004
【図３】
2018079362.tif 000005
【図４】
2018079362.tif 000006
【図５】
2018079362.tif 000007
【図６】
2018079362.tif 000008
【図７】
2018079362.tif 000009
【図８】
2018079362.tif 000010
【図９】
2018079362.tif 000011
【図１０】
2018079362.tif 000012
【図１１】
2018079362.tif 000013
【手続補正書】
【提出日】平成30年2月7日(2018.2.7)
【手続補正２】
【補正対象書類名】明細書
【補正対象項目名】０００１
【補正方法】変更
【補正の内容】
【０００１】
本発明は例えばオフィス等の執務空間で使用される什器に着脱可能に取り付けられる棚板、トレー、ボックスなどのオプション部材を備えた什器に関する。
【手続補正３】
【補正対象書類名】明細書
【補正対象項目名】０００９
【補正方法】変更
【補正の内容】
【０００９】
本発明は、上記事情に鑑み、棚板、トレー、ボックスなどのオプション部材の抜け止め操作忘れを防止して、ガタつきや脱落が生じないように好適にオプション部材を取り付けることを可能にする什器を提供することを目的とする。
【手続補正４】
【補正対象書類名】明細書
【補正対象項目名】００１０
【補正方法】変更
【補正の内容】
【００１０】
本発明は、上記課題を解決するため、以下の手段を採用する。
すなわち、本発明の一態様に係る什器は、移動可能なベースと、前記ベースから立設された支持基体と、前記支持基体に取り付けられるオプション部材と、を備え、前記支持基体は、筒状の外側支柱と、前記外側支柱の内側に上下方向に進退自在に配設された内側支柱と、を備え、上下方向に直交する第１方向において、前記外側支柱のうち前記内側支柱に対して外側に位置する部分には、前記外側支柱に前記オプション部材を取り付けるための係止孔が上下方向に間隔をあけて複数開口している。
上記什器において、前記係止孔は、前記外側支柱のうち、前記内側支柱に対して前記第１方向の両側に位置する部分に、それぞれ上下方向に間隔をあけて形成されていることが好ましい。
上記什器において、前記外側支柱は、上下方向及び前記第１方向に直交する第２方向の外形寸法が前記第１方向の外形寸法よりも小さくなっており、前記係止孔は、前記第２方向に向けて開口していることが好ましい。
上記什器において、前記係止孔は、前記外側支柱のうち前記第１方向を向く両面でそれぞれ開口していることが好ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
移動可能なベースと、
前記ベースから立設された支持基体と、
前記支持基体に取り付けられるオプション部材と、を備え、
前記支持基体は、
筒状の外側支柱と、
前記外側支柱の内側に上下方向に進退自在に配設された内側支柱と、を備え、
上下方向に直交する第１方向において、前記外側支柱のうち前記内側支柱に対して外側に位置する部分には、前記外側支柱に前記オプション部材を取り付けるための係止孔が上下方向に間隔をあけて複数開口している什器。
【請求項２】
前記係止孔は、前記外側支柱のうち、前記内側支柱に対して前記第１方向の両側に位置する部分に、それぞれ上下方向に間隔をあけて形成されている請求項１に記載の什器。
【請求項３】
前記外側支柱は、上下方向及び前記第１方向に直交する第２方向の外形寸法が前記第１方向の外形寸法よりも小さくなっており、
前記係止孔は、前記第２方向に向けて開口している請求項１又は請求項２に記載の什器。
【請求項４】
前記係止孔は、前記外側支柱のうち前記第２方向を向く両面でそれぞれ開口している請求項３に記載の什器。